(57)【特許請求の範囲】
【請求項１】
設置面部と、この設置面部と交差する方向に延びる交差面部と、この交差面部に設けられる係止部と、を有して構成されるバッテリに対して固定されるヒュージブルリンクであって、
前記設置面部に設置されるヒュージブルリンク本体と、このヒュージブルリンク本体に取り付けられるとともに前記係止部に係止される被係止部を有した係止部材と、を有して構成され、
前記被係止部は、前記係止部に引っ掛け可能なように端部が折り返されたフック状の引掛部を有し、
前記引掛部は、幅広に形成されるとともに、その先端部分が１の山状又は幅方向に並設された複数の山状に形成されていることを特徴とするヒュージブルリンク。
【発明の詳細な説明】
【技術分野】
【０００１】
本発明は、ヒュージブルリンクに関する。
【背景技術】
【０００２】
従来、固定対象物に対して被固定物を固定するための固定構造として、例えば、バッテリに対して電気部品（ヒューズやヒュージブルリンク等）を固定するための電気部品の固定構造が提案されている（例えば、特許文献１参照）。特許文献１に記載された電気部品の固定構造は、バッテリの電極ポストに固定されるバッテリ端子と、このバッテリ端子に接続されるヒューズユニットと、バッテリ端子に立設されたボルトを挿通可能な補強板と、を備えて構成されている。ヒューズユニットは、その電源側端子が補強板を介してバッテリ端子のボルトと、ナットとによって締結されることで、バッテリに固定されるようになっている。
【先行技術文献】
【特許文献】
【０００３】
【特許文献１】特開２０１３−３７９４９号公報
【発明の概要】
【発明が解決しようとする課題】
【０００４】
しかしながら、特許文献１に記載されたような従来の電気部品の固定構造では、被固定物（ヒュージブルリンク）が固定対象物（バッテリ）の突起部（電極ポスト）に固定される構成であるため、被固定物の全荷重が突起部に作用することとなり、突起部に対する負荷が大きくなってしまう。そこで、このような固定構造に加え、係止部材によって被固定物を固定対象物に係止させる固定構造を採用することにより、固定対象物に対する負荷を軽減させる構成が考えられる。このとき、係止部材をフック状とし、この係止部材を係止可能な係止部を固定対象物に設ける場合、係止部材と係止部との相対位置に公差が生じる可能性がある。そのため、係止部材が固定対象物における他の部材（例えば、係止部を補強するためのリブ）に干渉してしまい、係止部に係止部材を係止させられなくなってしまうことが考えられる。
【０００５】
本発明の目的は、公差に対応しつつ固定対象物に係止可能なヒュージブルリンクを提供することにある。
【課題を解決するための手段】
【０００６】
前記課題を解決し目的を達成するために、第１の参考発明は、設置面部と、この設置面部に交差する方向に延びる交差面部と、この交差面部に設けられる係止部と、を有して構成される固定対象物に対して固定される被固定物であって、前記設置面部に設置される被固定物本体と、この被固定物本体に取り付けられるとともに前記係止部に係止される被係止部を有した係止部材と、を有して構成され、前記被係止部は、前記係止部に引っ掛け可能なように端部が折り返されたフック状の引掛部を有し、前記引掛部は、幅広に形成されるとともに、その先端部分が１の山状又は幅方向に並設された複数の山状に形成されていることを特徴とする被固定物である。
【０００７】
第２の参考発明は、第１の参考発明において、前記引掛部の先端部分が、幅方向に並設された複数の山状に形成され、隣り合う山の間に谷部が形成されていることを特徴とするものである。
【０００８】
請求項１に記載された発明は、設置面部と、この設置面部と交差する方向に延びる交差面部と、この交差面部に設けられる係止部と、を有して構成されるバッテリに対して固定されるヒュージブルリンクであって、前記設置面部に設置されるヒュージブルリンク本体と、このヒュージブルリンク本体に取り付けられるとともに前記係止部に係止される被係止部を有した係止部材と、を有して構成され、前記被係止部は、前記係止部に引っ掛け可能なように端部が折り返されたフック状の引掛部を有し、前記引掛部は、幅広に形成されるとともに、その先端部分が１の山状又は幅方向に並設された複数の山状に形成されていることを特徴とするヒュージブルリンクである。
【０００９】
第３の参考発明は、固定対象物に対して被固定物を固定するための固定構造であって、前記固定対象物は、設置面部と、この設置面部に交差する方向に延びる交差面部と、この交差面部に設けられて前記被固定物を係止する係止部と、を有して構成され、前記被固定物は、前記設置面部に設置される被固定物本体と、この被固定物本体に取り付けられるとともに前記係止部に係止される被係止部を有した係止部材と、を有して構成され、前記被係止部は、前記係止部に引っ掛け可能なように端部が折り返されたフック状の引掛部を有し、前記引掛部は、幅広に形成されるとともに、その先端部分が１の山状又は幅方向に並設された複数の山状に形成されていることを特徴とする固定構造である。
【発明の効果】
【００１０】
請求項１に記載された発明及び第１、第３の参考発明によれば、被係止部がフック状の引掛部を有し、この引掛部の先端部分が山状に形成されることから、幅方向において被係止部と係止部との間に公差が生じ、被係止部が固定対象物（バッテリ）における係止部以外の部材（例えば、係止部を補強するためのリブ）と干渉してしまう場合であっても、山の傾斜した部分にこの部材を当接させて案内させ、係止部に対する係止部材の相対位置を調節することができる。従って、係止部材を係止部以外の部材と干渉しない位置まで移動させ、係止部に被係止部を係止させることができる。
【００１１】
第２の参考発明によれば、引掛部の先端部分が幅方向に並んだ複数の山状に形成されるとともに隣り合う山の間に谷部が形成されることから、上記のように山の傾斜した部分に係止部以外の部材を当接させて案内させ、谷部にこの部材が位置するように係止部材と係止部との相対位置を調節することができる。固定対象物に設けられたこの部材を２つの山で挟み込むことによって係止部材と固定対象物との幅方向への相対移動が制限され、固定対象物と被固定物との幅方向におけるがたつきを抑制することができる。
【図面の簡単な説明】
【００１２】
【図１】本発明の実施形態に係る電気部品の固定構造を示す斜視図である。
【図２】図１の電気部品の一部を示す斜視図である。
【図３】図１のバッテリの要部を示す斜視図である。
【図４】図２の電気部品に設けられた係止部材を示す斜視図である。
【図５】図４の係止部材のＸ−Ｘ線に沿う断面図である。
【図６】図４の係止部材の要部を示す正面図である。
【図７】図４の係止部材の要部を示す斜視図である。
【図８】本発明の変形例に係る電気部品を示す斜視図である。
【発明を実施するための形態】
【００１３】
以下、本発明の実施形態を図面に基づいて説明する。図１、２に示すように、本実施形態の電気部品の固定構造は、車両に搭載されるバッテリ（固定対象物）１０に対してヒュージブルリンク（被固定物）としてのヒューズユニット２０を固定するための固定構造である。ヒューズユニット２０は、バッテリ１０の電極端子（後述するポスト１４）と負荷との間に配置されて、過電流や通電時の温度上昇を防止するものであって、過電流が流れると溶解する複数の可溶部を有したバスバー２１を内蔵して構成されている。
【００１４】
バッテリ１０は、バッテリ本体を収容するロアケース１１と、このロアケース１１の上部を覆うアッパーケース１２と、を備えた箱状に形成され、アッパーケース１２には、正負の電極端子である左右一対のポスト１３，１４が上方に突出して設けられている。アッパーケース１２は、上面部（設置面部）１５と、上面部１５に連続して四周に垂下された４つの側面部（交差面部）１６と、を有して蓋状に形成されている。また、上面部１５は、上方に位置する第一上面部１５１と、ポスト１３の周辺にて第一上面部１５１よりも下がった第二上面部１５２と、ポスト１４の周辺にて第一上面部１５１よりも下がった第三上面部１５３と、第二上面部１５２と第三上面部１５３とに亘って正面側（図１の左下側）の側面部１６に沿った図示しない第四上面部と、を有して段付き状に形成されている。
【００１５】
正面側（図１の左下側）の側面部１６は、図３に示すように、奥側側面部１７よりも正面側に設けられ、その下端縁（係止部）１８において後述する被係止部３４を係止するように構成されている。側面部１６と奥側側面部１７との間には、下端縁１８と奥側側面部１７の上端とを接続する補強用の複数のリブ１９が幅方向に間隔をあけて並設され、これらのリブ１９は、幅方向に略直交する面（即ち、側面部１６に略直交する面）に沿って延在している。
【００１６】
ヒューズユニット２０は、バスバー２１をインサート成形により一体に内蔵したユニット本体２２と、このユニット本体２２を支持してバッテリ１０に設置されるベース体２３と、を有して構成されている。ユニット本体２２には、バスバー２１に接続された複数の端子２２１が突設され、これらの端子２２１は、電線Ｗを介して負荷に接続されている。また、ユニット本体２２には、バッテリ１０のポスト１４に接続される電源側端子２２２が突設され、この電源側端子２２２は、バスバー２４及びバッテリターミナル２５を介してポスト１４に接続されている。バッテリターミナル２５は、ポスト１４にネジ止め固定される接続部材であって、バッテリターミナル２５には、接続されたバスバー２４をナットで締め付け固定するためのボルト２５１が設けられている。ユニット本体２２とベース体２３とがヒュージブルリンク本体（被固定物本体）として機能する。
【００１７】
ベース体２３は、樹脂製一体成形品であって、図２に示すように、アッパーケース１２の第一上面部１５１に載置されるベース板部２３１と、このベース板部２３１の三方の端縁から立ち上がる壁部２３２と、左右の壁部２３２に近接して立ち上がる左右一対のロック部２３３と、ベース板部２３１前方側の端縁から立ち下がる前面壁部２３４と、前面壁部２３４よりも前方に突出する一対のリブ部２３５と、ポスト１４の側にてアッパーケース１２の第三上面部１５３の上面に沿って突出する接続部材支持部２３６と、を有して形成されている。ユニット本体２２は、ベース板部２３１の上面側にて三方の壁部２３２に囲まれるとともに、ロック部２３３に係合されることで、ベース体２３に連結固定されている。
【００１８】
このベース体２３は、ベース板部２３１がアッパーケース１２の第一上面部１５１に載置され、前面壁部２３４の下端縁が第四上面部に載置され、接続部材支持部２３６が第三上面部１５３に載置されることで、アッパーケース１２の上面部１５に設置され、すなわち、アッパーケース１２の上面部１５によって設置面部が構成されている。また、ベース体２３の接続部材支持部２３６には、バッテリターミナル２５が支持され、このバッテリターミナル２５がポスト１４にネジ止め固定されることで、バッテリターミナル２５を介してベース体２３がバッテリ１０のポスト１４に支持されている。
【００１９】
また、ベース体２３において、接続部材支持部２３６から離れた側（図２における左下側）の前面壁部２３４には、金属製の係止部材３０が設けられている。係止部材３０は、図４、５にも示すように、互いに交差して延びる第一アーム部３１及び第二アーム部３２と、を有して全体Ｌ字状に弾性変形可能に形成され、金属板材から打ち抜き加工及び折り曲げ加工により一体成形されている。第一アーム部３１は、ベース体２３の一対のリブ部２３５間に位置するとともに、第二上面部１５２に沿って延び、第二アーム部３２から離れた側の端部が前面壁部２３４に形成された挿通孔２３４Ａに挿通されることによってベース体２３に取り付けられる。第一アーム部３１の幅寸法は、ベース体２３における一対のリブ部２３５の間隔寸法（内寸）よりも若干小さく形成されており、リブ部２３５間で左右方向（幅方向）に位置調整可能に構成されている。第二アーム部３２は、アッパーケース１２の側面部１６の下端縁１８よりも下方まで延びて設けられている。
【００２０】
第二アーム部３２の下端部には、アッパーケース１２の側面部１６から離れるように折り曲げられた折曲部３３が形成され、この折曲部３３の上側には、アッパーケース１２側に折れ曲がって側面部１６の下端縁１８に係止される被係止部３４が形成されている。
【００２１】
被係止部３４は、第二アーム部３２を切り起こして形成され、アッパーケース１２側に折り曲げられるとともに、上方（第一アーム部３１側）に折り曲げられ、断面Ｌ字形に形成されている。即ち、被係止部３４は、端部が折り返されたフック状の引掛部３５を有している。さらに、引掛部３５は、図６、７に示すように、幅広に形成されるとともに、その先端部分が幅方向に並んだ２つの山状に形成され、即ち、２つの頂点部３５１、３５２と、頂点部３５１を挟むとともに折り返し方向（図６における上下方向）に対して傾斜した傾斜部３５３、３５４と、頂点部３５２を挟むとともに折り返し方向に対して傾斜した傾斜部３５５、３５６と、を有している。さらに、幅方向に並んだ２つの山の間、即ち、２つの頂点部３５１、３５２の間には、谷部３５７が形成されている。尚、先端部分とは、上方に折り曲げられた部分全体を指す。
【００２２】
以上の係止部材３０は、ベース体２３がアッパーケース１２に設置された状態において、被係止部３４の引掛部３５がアッパーケース１２の側面部１６の下端縁１８に引っ掛けられて係止されるようになっている。ベース体２３をバッテリ１０に取り付ける場合には、被係止部３４が下端縁１８よりも図５における下方に位置するように、折り曲げ部３４を持って押し下げ、下端縁１８に被係止部３４を係止させる。
【００２３】
このとき、被係止部３４がリブ１９と干渉しない場合には、被係止部３４はそのまま下端縁１８に係止される。一方、被係止部３４がリブ１９と干渉する場合、傾斜部３５３〜３５６がリブ１９に当接し、係止部材３０全体が幅方向において移動し、リブ部２３５間で位置調整される。即ち、リブ１９が図６における左側の頂点部３５１よりも左側に位置する場合には、左側の傾斜部３５３によって、被係止部３４がリブ１９の右側に位置するように係止部材３０が移動し、リブ１９が頂点部３５１、３５２の間に位置する場合には、頂点部３５１、３５２の間の傾斜部３５４、３５５によって、谷部３５７にリブ１９が位置するように係止部材３０が移動し、リブ１９が右側の頂点部３５２よりも右側に位置する場合には、右側の傾斜部３５６によって、被係止部３４がリブ１９の左側に位置するように係止部材３０が移動する。
【００２４】
一方、ベース体２３をバッテリ１０から取り外す場合には、折り曲げ部３４を持って押し下げたることによって、下端縁１８による被係止部３４の係止を解除する。
【００２５】
このような本実施形態によれば、以下のような効果がある。即ち、被係止部３４がフック状の引掛部３５を有し、この引掛部３５が山状に形成されることから、幅方向において被係止部３４と下端縁１８との間に公差が生じ、被係止部３４がリブ１９と干渉してしまう場合であっても、傾斜部３５３〜３５６にリブ１９を当接させて案内させて係止部材３０を移動させ、下端縁１８に対する係止部材３０の相対位置を調節することができる。さらに、リブ１９の形成位置が異なるバッテリや、幅方向における設置位置や寸法の異なるヒューズユニット２０に対して、共通の係止部材３０を用いることができ、低コスト化することができる。
【００２６】
さらに、頂点部３５１、３５２間に谷部３５７が形成されることから、リブ１９が頂点部３５１、３５２間に位置する場合、傾斜部３５４、３５５によってリブ１９を挟み込むことによって幅方向における係止部材３０の移動が制限され、幅方向におけるがたつきを抑制することができる。
【００２７】
さらに、第二アーム部３２に折曲部３３が形成されていることから、下端縁１８に係止部材３０を係止させたり係止を解除したりする際に、折曲部３３を操作することができ、操作性を向上させることができる。
【００２８】
なお、本発明は、前記実施形態に限定されるものではなく、本発明の目的が達成できる他の構成等を含み、以下に示すような変形等も本発明に含まれる。
【００２９】
例えば、前記実施形態では、ヒューズユニット２０がユニット本体２２とベース体２３とを別体に有するものとしたが、図８に示すように、ユニット本体４２とベース体４３とが一体成形されたヒューズユニット４０としてもよい。このような構成によれば、ユニット本体とベース体とを組み付ける必要がなく、組立工数を削減することができる。
【００３０】
また、前記実施形態では、引掛部３５が頂点部３５１、３５２を挟む傾斜部３５３〜３５６を有するものとしたが、引掛部は、先端部分が山状に形成され、頂点部の少なくとも一方側に傾斜部が形成されていればよく、頂点部の他方側が折り返し方向に延在していてもよい。
【００３１】
また、前記実施形態では、引掛部３５が幅方向に並んだ二つの山状に形成されるものとしたが、引掛け部は、対応するリブの幅等に応じて、先端部分全体が１つの山状に形成されても（１つの頂点部を有しても）よいし、３以上の山状に形成されても（３以上の頂点部を有しても）よい。
【００３２】
また、前記実施形態では、固定対象物としてのバッテリ１０に対して被固定物（ヒュージブルリンク）としてのヒューズユニット２０を固定する電気部品の固定構造としたが、係止部材によって固定対象物に対して被固定物が固定されるものであればよく、例えば、バッテリに対して電気部品としてヒューズを備えないバスバーユニットが固定されてもよいし、固定対象物及び被固定物は電気部品でなくてもよい。
【００３３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３４】
１０               バッテリ（固定対象物）
１５               上面部（設置面部）
１６               側面部（交差面部）
１８               下端縁（係止部）
１９               リブ
２０               ヒューズユニット（ヒュージブルリンク、被固定物）
２２               ユニット本体（ヒュージブルリンク本体、被固定物本体）
２３               ベース体（ヒュージブルリンク本体、被固定物本体）
３０               係止部材
３３               折曲部
３４               被係止部
３５               引掛部
３５７             谷部
【図１】
0006490970.tif 000002
【図２】
0006490970.tif 000003
【図３】
0006490970.tif 000004
【図４】
0006490970.tif 000005
【図５】
0006490970.tif 000006
【図６】
0006490970.tif 000007
【図７】
0006490970.tif 000008
【図８】
0006490970.tif 000009